(57)【要約】【課題】  小型で簡単な構造を持ちながら確実に扉を閉めた状態を維持できる、使い勝手のよいテレビジョン載置台等の開扉防止具、また幼児には取り外しが困難で開扉を確実に防止でき、低コストであって取り扱いが簡易な、テレビジョン載置台等の開扉防止具を提供すること。【解決手段】  観音開きの扉を備えたテレビジョン載置台等の開扉防止具において、断面Ｕ字型で所定の長さを有する外側本体１、該外側本体１のＵ字溝２内に保持された可動片３、３０、該外側本体１に回転自在に取り付けられ該可動片３、３０を前記Ｕ字溝２の溝幅方向に前後移動させる可動手段４を備える。また、可動手段４は頭部が円筒のねじ４１、４２であることが好ましい。【選択図】      図２
0003106923.tif 000002
【実用新案登録請求の範囲】
【請求項１】
観音開きの扉を備えたテレビジョン載置台等の開扉防止具において、断面Ｕ字型で所定の長さを有する外側本体、該外側本体のＵ字溝内に保持された可動片、該外側本体に取り付けられ該可動片を前記Ｕ字溝の溝幅方向に前後移動させる可動手段を備えたことを特徴とするテレビジョン載置台等の開扉防止具。
【請求項２】
前記可動手段がねじであることを特徴とする請求項１に記載のテレビジョン載置台等の開扉防止具。
【請求項３】
前記可動片は前記外側本体の一方の壁に嵌合する断面逆Ｕ字型片であり、該逆Ｕ字型片の一方の壁を貫き該外側本体の一方の壁に螺合する可動手段により、該逆Ｕ字型片の他方の壁が前記Ｕ字溝内で前記扉を圧接するようにしたことを特徴とする請求項１又は２に記載のテレビジョン載置台等の開扉防止具。
【請求項４】
前記逆Ｕ字型可動片の他方の壁は下端が前記外側本体のＵ字溝の底を摺動する寸法を有することを特徴とする請求項３に記載のテレビジョン載置台等の開扉防止具。
【請求項５】
前記可動手段は頭部が円筒のねじであることを特徴とする請求項２又は３に記載のテレビジョン載置台等の開扉防止具。
【請求項６】
前記外側本体のＵ字溝内と前記可動片との扉圧接側の壁面に弾性材層を施したことを特徴とする請求項１又は３に記載のテレビジョン載置台等の開扉防止具。
【考案の詳細な説明】
【技術分野】
【０００１】
本考案は、テレビジョン載置台等の開扉防止具に関し、特に観音開きの扉が自由に開かないようにするテレビジョン載置台等の開扉防止具に関するものである。
【背景技術】
【０００２】
テレビジョン等を載せる台には、ビデオテープレコーダーのデッキやＤＶＤ装置などを収納できる箱型の台で、前面に観音開きのガラス扉を備えたものがある。そして、その観音開きの扉の開閉は、扉の中央上部に設けた鉄片と載置台の対応する位置に設けた磁石装置によるものであり、扉を押し込むことにより開き、軽く押し付けることによってしまるようになされているものが多い。ところが、簡単に開け閉めできることから、家庭に好奇心の強い幼児などがいる場合には、遊びで扉を開け、内部にあるビデオテープレコーダーのデッキやＤＶＤ装置などに勝手に触ることによって、それらの機器に設定された番組録画の設定等を変更してしまったり、デッキ自体を壊したり、あるいはデッキが漏電を起こせば幼児に危険が及ぶこともある。
【０００３】
そのため、幼児のいる家庭などでは勝手にあけられないように、ガムテープを張り巡らして扉を固定したりしているが、いちいちテープを剥がさなければ内部の機器を操作することができず不便であった。また、図３に示す開扉防止具のような、ガラス扉５５、５６の前面に貼り付けて用いるプラスチック製の簡易ロック装置５０で、片側の扉に設けた支点５１を中心として回転する引っ掛け片５２の鉤５３を他方の扉に設けた突起５４に引っ掛けてロックし、開扉を防止するようにしたものも市販されているが、価格が高価な上に、支点５１と突起５４をガラス面に両面接着テープで貼り付けて用いるため、幼児が何度も引っ張っているうちに剥がれてしまい用を成さなくなることが多かった。また、取り替えても同様にまた剥がされて、すぐに役に立たなくなった。
【０００４】
また、特許文献１のように、防犯を目的としてサッシ窓の緩みを防止するサッシ窓補助錠も知られているが、裏面に螺旋状の突条を備えたつまみの回転により可動アタッチメントを水平方向に移動させてレールに固定するもので、建物の引違い窓に対するものであり、構造も複雑で、テレビジョン載置台のような観音開きの扉には適用できないものであった。
【０００５】
このため、幼児が引っ張っても剥がれたりすることがなく、開扉を確実に防止できる低コストで取り扱いが簡易なテレビジョン載置台等の開扉防止具の提供が望まれている。このようなものが必要なのは、幼児の場合成長するまでの一時期であり、成長後はやってよいことといけないこととの分別が発生するので必要なくなるが、それまでの幼児を持つ多くの家庭で望まれている。
【０００６】
【特許文献１】特開２００３−１２９７２９号公報（要約、図１）
【考案の開示】
【考案が解決しようとする課題】
【０００７】
本願の考案者は、前記の問題点を解決すべく種々検討を行った結果、Ｕ字溝を持つ本体と可動片を組み合わせることによって、小型で簡単な構造を持ちながら確実に扉を閉めた状態を維持できる、より使い勝手のよい開扉防止具ができることを見出し、前記の問題点を改善した本考案を完成するに至ったものである。
【０００８】
すなわち、本考案は上述した点に鑑みて成されたものであり、本考案の目的は、テレビジョン載置台等の開扉防止具において、小型で簡単な構造を持ちながら確実に扉を閉めた状態を維持できる、より使い勝手のよい開扉防止具を提供することにある。
また本考案は、幼児には取り外しが困難で開扉を確実に防止できる、低コストであって取り扱いが簡易な、テレビジョン載置台等の開扉防止具を提供することを目的とするものである。
【課題を解決するための手段】
【０００９】
前記課題を解決するために、本願の請求項１に係る考案は、観音開きの扉を備えたテレビジョン載置台等の開扉防止具において、断面Ｕ字型で所定の長さを有する外側本体、該外側本体のＵ字溝内に保持された可動片、該外側本体に取り付けられ該可動片を前記Ｕ字溝の溝幅方向に前後移動させる可動手段を備えたことを特徴とするものである。
【００１０】
また、本願の請求項２に係る考案は、請求項１に記載のテレビジョン載置台等の開扉防止具において、前記可動手段がねじであることを特徴とするものである。
【００１１】
また、本願の請求項３に係る考案は、請求項１又は２に記載のテレビジョン載置台等の開扉防止具において、前記可動片は前記外側本体の一方の壁に嵌合する断面逆Ｕ字型片であり、該逆Ｕ字型片の一方の壁を貫き該外側本体の一方の壁に螺合する可動手段により、該逆Ｕ字型片の他方の壁が前記Ｕ字溝内で前記扉を圧接するようにしたことを特徴とするものである。
【００１２】
また、本願の請求項４に係る考案は、請求項３に記載のテレビジョン載置台等の開扉防止具において、前記逆Ｕ字型可動片の他方の壁は下端が前記外側本体のＵ字溝の底を摺動する寸法を有することを特徴とするものである。
【００１３】
また、本願の請求項５に係る考案は、請求項２又は３に記載のテレビジョン載置台等の開扉防止具において、前記可動手段は頭部が円筒のねじであることを特徴とするものである。
【００１４】
また、本願の請求項６に係る考案は、請求項１又は３に記載のテレビジョン載置台等の開扉防止具において、前記外側本体のＵ字溝内と前記可動片との扉圧接側の壁面に弾性材層を施したことを特徴とするものである。
【考案の効果】
【００１５】
本考案によれば、請求項１の考案は、簡単な構造で観音開き式のテレビ台の扉が容易に開かないようにすることができるので、幼児のいたずら防止に有効である。
【００１６】
請求項２に係る考案は、前記可動手段がねじであることによって、幼児にとってはねじを回すことが難しく、そのため扉を簡単に開けることができないという効果がある。
【００１７】
請求項３に係る考案は、開扉防止具において、前記可動片は前記外側本体の一方の壁に嵌合する断面逆Ｕ字型片であり、逆Ｕ字型片の一方の壁を貫き外側本体の一方の壁に螺合する可動手段により、逆Ｕ字型片の他方の壁が扉を圧接するようにしたので、取り扱いが容易で丈夫な防止具が得られる。
【００１８】
請求項４に係る考案は、開扉防止具において、前記逆Ｕ字型可動片の他方の壁は下端が外側本体のＵ字溝の底を摺動する寸法にしてあるため、傾いたりすることがなく安定に移動できる利点がある。
【００１９】
請求項５に係る考案は、開扉防止具において可動手段がねじでその頭部が円筒であることにより、幼児が手で緩めることは困難である一方大人が手でまわすことが容易になるので、開扉を確実に防ぐ一方利用を便利にするのに効果的である。
【００２０】
請求項６に係る考案は、開扉防止具において、外側本体のＵ字溝内と可動片との扉圧接側に弾性材層を施したので、前記弾性材層が開扉防止具が圧接されるガラスなどの扉に対してクッション材の効果を奏するので、扉が損傷することが減少する。
【考案を実施するための最良の形態】
【００２１】
以下、本考案の具体例を実施例及び図面を参照して詳細に説明する。ただし、以下に示すのは本考案の技術思想を具体化するためのテレビジョン載置台等の開扉防止具を例示するものであって、本考案をこの実施例に特定することを意図するものではなく、その要旨を逸脱しない範囲において種々変更可能であり、実用新案登録請求の範囲に含まれるその他の変更例にも等しく適用し得るものである。
【００２２】
図１は本考案に係るテレビジョン載置台等の開扉防止具の１実施例の分解斜視図（ａ）及び側断面図（ｂ）であり、図２は本考案に係るテレビジョン載置台等の開扉防止具の他の実施例の分解斜視図（ａ）、組み立て斜視図（ｂ）、及び側面図（ｃ）である。
【実施例１】
【００２３】
図１には、本考案のテレビジョン載置台等の開扉防止具の構成を示している。すなわち、テレビジョン載置台等の開扉防止具として図１（ａ）に示したものは、テレビジョン載置台の扉の厚みより広い溝幅を有する断面がＵ字型で所定の長さを有する外側本体１、外側本体１のＵ字溝２内に保持される可動片３、外側本体１に回転自在に取り付けられ可動片３を先端に保持してＵ字溝２の幅方向に前後移動させる可動手段４を備えるものである。可動片３は、この場合板状である。可動手段４の例はねじであり、ねじ４１の先端部は可動片３に空回りできるように係止されている。ねじ４１は外側本体１に支持されて回転し、可動片３をＵ字溝２の中で前後させ外側本体１の後ろの壁との間隔を調整することができるので、テレビジョン載置台の扉のガラス５を扉の下辺で観音開きの両扉にまたがるように挟み、締め付けることによって開扉防止具は固定される。扉を開けるときは、ねじ４を緩めて横にずらし、どちらかの扉の下辺に移せばよい。
【００２４】
ねじの頭は円筒である必要は必ずしもないが，円筒であれば手で回しやすく、一方幼児は例えば蝶形のねじよりもこれを回転させることが困難であり、開扉防止のためにより効果的であり望ましい。外側本体１と可動片３は強度と耐久性の点では金属製が好ましいが、例えばこれに代えて硬質のプラスチックでもよい。
【実施例２】
【００２５】
図２に示す他の実施例によるテレビジョン載置台等の開扉防止具においては、可動片３０は断面が逆Ｕ字型であり、外側本体１の一方の壁１２に嵌合する。逆Ｕ字型可動片３０の一方の壁３１を貫き外側本体１の一方の壁１２に螺合したねじ４２により、逆Ｕ字型可動片３０の他方の壁３２が観音開きの扉を圧接するようにしたものである。
【００２６】
可動手段４はねじであり、ねじ４２の先端部は可動片３０の一方の壁３２に突き当たり空回りできるように壁１２に螺合されている。ねじ４２は逆Ｕ字型可動片３０の壁３１を貫き、外側本体の壁１２に支持されて回転することにより可動片３０をＵ字溝２の中で前後させることができる。外側本体１の後ろの壁１１と可動片３０の他方の壁３２の間隔を調整し、そこにテレビジョン載置台の観音開きのガラス扉を下辺で両扉にまたがるように挟み、締め付けることによって開扉防止具は固定される。扉を開けるときは、ねじ４２を緩めて開扉防止具を横にずらし、どちらかの扉の下辺に移せばよい。
【００２７】
逆Ｕ字型片の一方の壁３２の高さは、下端が外側本体１のＵ字溝２の底を摺動する寸法にしておくと可動手段で動くときに安定する。また、可動手段４が頭部が円筒のねじであると、これを回転させることが幼児には困難であり、開扉防止のためには効果的である。
【００２８】
また、本考案の開扉防止具において、外側本体１のＵ字溝２内と可動片３、３０との扉圧接側に弾性材層（図示せず）を施すと、弾性材層によって開扉防止具が圧接するガラスなどの扉にクッションをもって当たるので、扉が損傷することが少ない。また、外側本体１と可動片３、３０は、必要な強度と耐久力を有する金属またはプラスチック製が好ましい。
【００２９】
以上の実施例では、可動手段４としてねじを用いたが、前記可動手段に板ばねを用いてレバーの操作により可動片が扉に弾性的に圧接するようにしてもよい。
【００３０】
本考案によれば、テレビジョン載置台の観音開きのガラス扉を確実に保持し、幼児による開扉を防ぎ、テレビジョン載置台内の機器等の保護を効果的に活用できるものを提供することができる。その構造はきわめて簡単で、コンパクトなものを提供することができる。ちなみに、一例として実施例２の構造で外側本体が長さ４ｃｍ、幅１ｃｍ、高さ２．５ｃｍの大きさで十分効果的なものが得られた。
【００３１】
また、本考案のテレビジョン載置台等の開扉防止具において、外側本体と可動片は金属またはプラスチック製であることが望ましい。外側本体と可動片が金属またはプラスチック製であれば、簡単に所望の形態が得られかつ安価に製作できる。
【００３２】
以上には、テレビジョン載置台の開扉防止具として構成した例を説明したが、本考案が食器棚など他の開扉防止具としても適用できることは言うまでもない。
【図面の簡単な説明】
【００３３】
【図１】図１は、本考案に係るテレビジョン載置台等の開扉防止具の１実施例の分解斜視図（ａ）及び側面図（ｂ）である。
【図２】図２は、本考案に係るテレビジョン載置台等の開扉防止具の他の実施例の分解斜視図（ａ）、組み立て斜視図（ｂ）及び側面図（ｃ）である。
【図３】図３は、従来のテレビジョン載置台等の開扉防止具の斜視図である。
【符号の説明】
【００３４】
１      外側本体
２      外側本体のＵ字溝
３      可動片
４      可動手段
５      ガラス扉
１１    外側本体１の一方の壁
３０    逆Ｕ字型可動片
３１    逆Ｕ字型可動片の一方の壁
３２    逆Ｕ字型可動片の他方の壁
４１，４２  ねじ
【図１】
0003106923.tif 000003
【図２】
0003106923.tif 000004
【図３】
0003106923.tif 000005